(57)【要約】  本発明ではバッテリー交換時電源保持機能を有する携帯用電子機器を提案している。これによれば、携帯用電子機器の外形を構成する本体と、本体に分離可能に結合され、外部電源を介して充電され、携帯用電子機器に電源を供給する主電源供給用バッテリーとを含み、本体は内部に補助電源供給モジュールを備え、電源制御回路、スイッチ端子及び主電源供給用バッテリーに連結される第１端子、及び補助電源供給モジュールに連結される第２端子を含むように構成することで、従来のバッテリー接触方式を用いながらも、接続端子の構造を通じて簡単に且つ効率的に電力供給を維持及び制御することができる。【選択図】図１
2017504290.tif 000002
【特許請求の範囲】
【請求項１】
携帯用電子機器の外形を構成する本体、及び前記本体に分離可能に結合され、外部電源を介して充電され、前記携帯用電子機器に主電源を供給する主電源供給用バッテリーを含み、
前記本体は、
前記本体の内部に固設され、前記主電源供給用バッテリーを前記本体から分離する時、前記携帯用電子機器に補助電源を供給する補助電源供給モジュール；
前記携帯用電子機器への電源供給を制御する電源制御回路；
前記電源制御回路を前記主電源供給用バッテリー又は前記補助電源供給モジュールに連結させるスイッチ端子；
前記主電源供給用バッテリーを前記本体に結合すると、前記主電源供給用バッテリーの端子及び前記スイッチ端子に接触して、前記主電源供給用バッテリーを前記電源制御回路と連結させる第１端子；と
前記補助電源供給モジュールに連結されて備えられ、前記主電源供給用バッテリーを前記本体から分離すると、前記スイッチ端子に接触して前記補助電源供給モジュールを前記電源制御回路と連結させる第２端子を含むことを特徴とするバッテリー交換時電源保持機能を有する携帯用電子機器。
【請求項２】
前記スイッチ端子は、
自体の弾性を有する導電性金属を折り曲げて形成したものであって、
前記主電源供給用バッテリーを前記本体から分離した状態では、前記第２端子に接触するが、
前記主電源供給用バッテリーを前記本体に結合すると、前記主電源供給用バッテリーの接続端子によって前記第１端子と共に押圧されてその形態が変形されることで、前記第２端子との接触が分離されることを特徴とする請求項１に記載のバッテリー交換時電源保持機能を有する携帯用電子機器。
【請求項３】
前記第１端子は、
自体の弾性を有する導電性金属を折り曲げて形成したものであって、
前記主電源供給用バッテリーの接続端子と対応する個所に突設されており、
前記主電源供給用バッテリーの接続端子によって押圧されると、前記本体の内部に押し込められて前記スイッチ端子に接触することを特徴とする請求項１に記載のバッテリー交換時電源保持機能を有する携帯用電子機器。
【請求項４】
前記第２端子は、
前記スイッチ端子と対応する個所に備えられ、「Ｌ」字状に折り曲げ形成されることを特徴とする請求項１に記載のバッテリー交換時電源保持機能を有する携帯用電子機器。
【請求項５】
前記補助電源供給モジュールは、
前記主電源供給用バッテリーの接続端子に接触する第３端子を更に含み、
前記第３端子を介して前記主電源供給用バッテリーから電力を受け取って保存することを特徴とする請求項１に記載のバッテリー交換時電源保持機能を有する携帯用電子機器。
【請求項６】
前記補助電源供給モジュールは、
前記携帯用電子機器の電源オン状態を１０秒〜３０秒の間維持させる電力分を保存することを特徴とする請求項１に記載のバッテリー交換時電源保持機能を有する携帯用電子機器。
【発明の詳細な説明】
【技術分野】
【０００１】
本発明は携帯用電子機器に関するもので、より詳細には、バッテリー交換時電源保持機能を有する携帯用電子機器に関するものである。
【背景技術】
【０００２】
携帯用電子機器は、携帯電話、カムコーダ、ＰＤＡ、ＰＭＰ、スマートパッド、タブレットＰＣ、ノートＰＣなどのように、携帯し利用できる電子機器を意味するものであって、一般的には、バッテリーを介して電力を供給する。最近、スマート技術の発達 によって、携帯用電子機器が複合的な機能を行い始め、タッチスクリーン技術の導入によって液晶画面が大型化することで、携帯用電子機器における電力供給が重要な問題となっている。従って、高容量バッテリーが開発されることもあったが、携帯性を維持する観点からバッテリーの容量を増やすには限界がある。このため、電子機器会社においては一般的にスペアバッテリーを提供して、必要に応じて、スペアバッテリーを備えて入れ替えできるようにする構成を採用している。バッテリーを交換する方式を採用する場合、バッテリーを交換する間には携帯用電子機器を使用することができず、電子機器の電源を切り替える間にはブート時間が必要であるなどの不具合が発生する。特に携帯電話の場合は、バッテリーを交換する間に重要な連絡を受けられない場合があり、様々なプログラムを再実行しなければならないため、ブート時間が非常に長く掛かる。
【０００３】
このため、最近は、バッテリー交換時にも電源が切れないようにする方法についての研究が行われている。特許文献１は、携帯電話のバッテリー装着部にバッテリーが摺動するスライド案内溝を形成し、その案内溝に沿ってバッテリーが摺動してバッテリー装着部に着脱できるように構成し、バッテリーが案内溝に沿って摺動する過程で使用末電位に達したバッテリーの電源供給端子は、新しいバッテリーを案内溝に嵌め込んで摺動させた時、その新しいバッテリーの電源供給端子が、携帯電話の電源供給端子に接触するまで、その携帯電話の電源供給端子との接触状態を維持することができる構造を提案している。しかし、この方法は、既に装着したバッテリーの一部のみを分離した状態で、他のバッテリーを嵌め込まなければならないため、バッテリーの交換方法が容易でなく、現在の多く用いるバッテリーの接触構造に適用することが難しい問題がある。また、様々な補助電源供給方法が研究されることもあったが、従来のバッテリー接触方式を用いながらも、電源保持機能を付与する具体的な方法については、これまで開発されたことがない。
【先行技術文献】
【特許文献】
【０００４】
【特許文献１】韓国実用新案登録出願第２０−２００３−００３２２１６号公報
【発明の概要】
【発明が解決しようとする課題】
【０００５】
従来に提案された方法における前述の問題点を解決するためになされた本発明は、携帯用電子機器の外形を構成する本体と、本体に分離可能に結合され、外部電源を介して充電され、携帯用電子機器に主電源を供給する主電源供給用バッテリーとを含み、本体は内部に補助電源供給モジュールを備え、電源制御回路、スイッチ端子及び主電源供給用バッテリーに連結される第１端子、及び補助電源供給モジュールに連結される第２端子を含むように構成することで、従来のバッテリー接触方式を用いながらも、接続端子の構造を通じて簡単に且つ効率的に電力供給を維持及び制御することができる、バッテリー交換時電源保持機能を有する携帯用電子機器を提供することをその目的とする。
【課題を解決するための手段】
【０００６】
前述した目的を達成するための本発明の一態様に係るバッテリー交換時電源保持機能を有する携帯用電子機器は、
携帯用電子機器の外形を構成する本体１００と、前記本体１００に分離可能に結合され、外部電源を介して充電され、前記携帯用電子機器に主電源を供給する主電源供給用バッテリー２００とを含み、
前記本体１００は、
前記本体１００の内部に固設され、前記主電源供給用バッテリー２００を前記本体１００から分離する時、前記携帯用電子機器に補助電源を供給する補助電源供給モジュール１１０；
前記携帯用電子機器への電源供給を制御する電源制御回路１２０；
前記電源制御回路１２０を前記主電源供給用バッテリー２００又は前記補助電源供給モジュール１１０に連結させるスイッチ端子１３０；
前記主電源供給用バッテリー２００を前記本体１００に結合すると、前記主電源供給用バッテリー２００の接続端子２１０及び前記スイッチ端子１３０に接触して前記主電源供給用バッテリー２００を前記電源制御回路１２０と連結させる第１端子１４０；及び
前記補助電源供給モジュール１１０に連結されて備えられ、前記主電源供給用バッテリー２００を前記本体から分離すると、前記スイッチ端子１３０に接触して前記補助電源供給モジュール１１０を前記電源制御回路１２０に連結させる第２端子１５０を含むことを構成上の特徴とする。
【０００７】
好ましくは、前記スイッチ端子１３０は、
自体の弾性を有する導電性金属を折り曲げて形成したものであって、
前記主電源供給用バッテリー２００を前記本体１００から分離した状態では、前記第２端子１５０に接触しているが、
前記主電源供給用バッテリー２００を前記本体１００に結合すると、前記主電源供給用バッテリー２００の接続端子２１０によって前記第１端子１４０と共に押圧されてその形態が変形されることで、前記第２端子１５０との接触が分離されることができる。
【０００８】
好ましくは、前記第１端子１４０は、
自体の弾性を有する導電性金属を折り曲げて形成したものであって、
前記主電源供給用バッテリー２００の接続端子２１０と対応する個所に突設されており、
前記主電源供給用バッテリー２００の接続端子２１０によって押圧されると、前記本体１００の内部に押し込められて前記スイッチ端子１３０に接触することができる。
【０００９】
好ましくは、前記第２端子１５０は、
前記スイッチ端子１３０と対応する個所に備えられ、「Ｌ」字状に折り曲げて形成することができる。
【００１０】
好ましくは、前記補助電源供給モジュール１１０は、
前記主電源供給用バッテリー２００の接続端子２２０に接触する第３端子１５１を更に含み、
前記第３端子１５１を介して前記主電源供給用バッテリー２００から電力を受け取って保存することができる。
【００１１】
好ましくは、前記補助電源供給モジュール１１０は、
前記携帯用電子機器の電源オン状態を１０秒〜３０秒の間維持させる電力分を保存することができる。
【００１２】
【発明の効果】
【００１３】
本発明で提案しているバッテリー交換時電源保持機能を有する携帯用電子機器によれば、携帯用電子機器の外形を構成する本体と、本体に分離可能に結合され、外部電源を介して充電され、携帯用電子機器に電源を供給する主電源供給用バッテリーとを含み、本体は内部に補助電源供給モジュールを備え、電源制御回路、スイッチ端子及び主電源供給用バッテリーに連結される第１端子、及び補助電源供給モジュールに連結される第２端子を含むように構成することで、従来のバッテリー接触方式を用いながらも、接続端子の構造を通じて簡単に且つ効率的に電力供給を維持及び制御することができる。
【図面の簡単な説明】
【００１４】
【図１】本発明の一実施形態に係るバッテリー交換時電源保持機能を有する携帯用電子機器の構成を図式化したブロック図である。
【図２】本発明の一実施形態に係るバッテリー交換時電源保持機能を有する携帯用電子機器を示す斜視図である。
【図３】本発明の一実施形態に係るバッテリー交換時電源保持機能を有する携帯用電子機器において、主電源供給用バッテリーを分離した状態のスイッチ端子、第１端子及び第２端子の構造を示す断面図である。
【図４】本発明の一実施形態に係るバッテリー交換時電源保持機能を有する携帯用電子機器において、主電源供給用バッテリーを結合した状態のスイッチ端子、第１端子及び第２端子の構造を示す断面図である。
【図５】本発明の他の実施形態に係るバッテリー交換時電源保持機能を有する携帯用電子機器の一部の構成を示す斜視図である。
【発明を実施するための形態】
【００１５】
以下、添付された図面を参照して本発明が属する技術分野における通常の知識を有する者が本発明を容易に実施することができるように、好ましい実施形態を詳しく説明する。ただし、本発明の好ましい実施形態を詳細に説明するにあたり、関連した公知の機能や構成についての具体的な説明が本発明の要旨を不必要に曖昧にする恐れがあると判断する場合は、その詳細な説明を省略する。また、同様の機能や作用をする部分については、図面全体にわたって同一又は類似の符号を使用する。
【００１６】
なお、明細書全体において、ある部分が他の部分に「連結」されているとする時、これは「直接的に連結」されている場合だけでなく、その間に他の素子を挟んで「間接的に連結」されている場合も含む。また、ある構成要素を「含む」とは、特に反対する記載がない限り、他の構成要素を除くのではなく、他の構成要素を更に含むことができることを意味する。
【００１７】
図１は本発明の一実施形態に係るバッテリー交換時電源保持機能を有する携帯用電子機器の構成を図式化したブロック図である。図１に示すように、本発明の一実施形態に係るバッテリー交換時電源保持機能を有する携帯用電子機器は、携帯用電子機器の外形を構成する本体１００と、本体１００に分離可能に結合され、外部電力を介して充電され、携帯用電子機器に主電源を供給する主電源供給用バッテリー２００とを含む。本体１００は、補助電源供給モジュール１１０、電源制御回路１２０、スイッチ端子１３０、第１端子１４０及び第２端子１５０を含むことで、主電源供給用バッテリー２００の分離又は結合によって携帯用電子機器への電源供給を制御することができる。即ち、交換のために主電源供給用バッテリー２００を分離する場合に、第２端子１５０、スイッチ端子１３０及び電源制御回路１２０を介して補助電源供給モジュール１１０から一時的に電力の供給を受けることができるようになる。以下、各構成について詳細に説明する。
【００１８】
図２は本発明の一実施形態に係るバッテリー交換時電源保持機能を有する携帯用電子機器を示す斜視図である。図２に示すように、本発明の一実施形態に係るバッテリー交換時電源保持機能を有する携帯用電子機器において、補助電源供給モジュール１１０は、本体１００の内部に固設され、主電源供給用バッテリー２００を本体１００から分離する時、携帯用電子機器に補助電源を供給することができる。補助電源供給モジュール１１０は、バッテリーを交換する間のみに一時的に電源を供給すると十分であるので、携帯用電子機器の電源オン状態を１０秒〜３０秒の間維持させる電力分を保存すると十分である。高容量の電力を保存する場合は、電子機器のサイズや重量に影響を与える可能性があるので、最小限の電力分を保存するように構成することが好ましい。
【００１９】
電源制御回路１２０は携帯用電子機器への電源供給を制御することができ、スイッチ端子１３０は電源制御回路１２０を主電源供給用バッテリー２００又は補助電源供給モジュール１１０に連結させることができる。即ち、電源制御回路１２０は、主電源供給用バッテリー２００又は補助電源供給モジュール１１０のうち、スイッチ端子１３０に接触するものから電源の供給を受け取って、携帯用電子機器への電源供給を制御することができる。
【００２０】
第１端子１４０は、主電源供給用バッテリー２００を本体１００に結合すると、主電源供給用バッテリー２００の接続端子２１０とスイッチ端子１３０に接触して主電源供給用バッテリー２００を電源制御回路１２０に連結させることができる。
【００２１】
第２端子１５０は、補助電源供給モジュール１１０に連結されて備えられ、主電源供給用バッテリー２００を本体から分離すると、スイッチ端子１３０に接触して補助電源供給モジュール１１０を電源制御回路１２０に連結させることができる。
【００２２】
図３は本発明の一実施形態に係るバッテリー交換時電源保持機能を有する携帯用電子機器において、主電源供給用バッテリーを分離した状態のスイッチ端子、第１端子及び第２端子の構造を示す断面図であり、図４は本発明の一実施形態に係るバッテリー交換時電源保持機能を有する携帯用電子機器において、主電源供給用バッテリーを結合した状態のスイッチ端子、第１端子及び第２端子の構造を示す断面図である。図３に示すように、スイッチ端子１３０は、自体の弾性を有する導電性金属を折り曲げて形成したものであって、主電源供給用バッテリー２００を本体１００から分離した状態では、第２端子１５０に接触していることができる。また、主電源供給用バッテリー２００を本体１００に結合すると、図４に示すように、主電源供給用バッテリー２００の接続端子２１０によって第１端子１４０と共に押圧されてその形態が変形されることで、第２端子１５０との接触が分離されることができる。
【００２３】
好ましくは、スイッチ端子１３０は、図３及び図４に示すように、逆「Ｕ」字状に折り曲げて形成することができ、自体の弾性を有するので、外部からの押圧力を受けない限り、元の形態を維持して第２端子１５０に接触している。しかし、外部の力（主電源供給用バッテリー２００の接続端子２１０と第１端子１４０）によって押圧されると、更に折り曲げられながらその形態が変形される。従って、固設された第２端子１５０との接触が分離されるように構成することができる。
【００２４】
また、第１端子１４０は、自体の弾性を有する導電性金属を折り曲げて形成したものであって、主電源供給用バッテリー２００の接続端子２１０と対応する個所に突設されており、主電源供給用バッテリー２００の接続端子２１０によって押圧されると、本体１００の内部に押し込められてスイッチ端子１３０に接触するように構成することができる。好ましくは、図３及び図４に示すように、三角状に折り曲げて形成することができ、これは従来の携帯電話内のバッテリー接続端子に類似した形態である。
【００２５】
第２端子１５０は、スイッチ端子１３０と対応する個所に備えられ、「Ｌ」字状に折り曲げて形成することができる。第２端子１５０は押圧によりその形態や位置が変形しないものであって、弾性を有する必要がなく、スイッチ端子１３０と対応する個所に固設することができる。
【００２６】
図５は本発明の他の実施形態に係るバッテリー交換時電源保持機能を有する携帯用電子機器の一部の構成を示す斜視図である。図５に示すように、本発明の他の実施形態に係るバッテリー交換時電源保持機能を有する携帯用電子機器において、補助電源供給モジュール１１０は、主電源供給用バッテリー２００の接続端子２２０に接触する第３端子１５１を更に含むことができ、第３端子１５１を介して主電源供給用バッテリー２００から電力を受け取って保存することができる。補助電源供給モジュール１１０にも電源供給が必要である。補助電源供給モジュール１１０の充電は、別の充電モジュールを用いて充電することもできるが、低容量の電力分を必要とするので、主電源供給用バッテリー２００から一定量の電力を受け取るように構成することができる。実施形態によっては、主電源供給用バッテリー２００が結合された状態で外部から電力を供給する場合に、主電源供給用バッテリー２００、接続端子２２０及び第３端子１５１を介して電力を受け取って保存することもできる。しかし、これは一実施形態に限るものであり、様々な方法で電力を受け取って保存することができる。
【００２７】
以上で説明した本発明は、本発明が属する技術分野における通常の知識を有する者によって様々な変形や応用が可能であり、本発明に係る技術的思想の範囲は、以下の特許請求の範囲により規定される。
【符号の説明】
【００２８】
１００：本体
１１０：補助電源供給モジュール
１２０：電源制御回路
１３０：スイッチ端子
１４０：第１端子
１５０：第２端子
１５１：第３端子
２００：主電源供給用バッテリー
２１０、２２０：主電源供給用バッテリーの接続端子
【図１】
2017504290.tif 000003
【図２】
2017504290.tif 000004
【図３】
2017504290.tif 000005
【図４】
2017504290.tif 000006
【図５】
2017504290.tif 000007
【国際調査報告】
2017504290.tif 000008
2017504290.tif 000009
2017504290.tif 000010
2017504290.tif 000011